(57)【要約】【課題】座り心地の快適性を損なうことなく、背凭れを後方に倒してもあまり後方に張り出さないリクライニング式の椅子を提供する。【解決手段】座面よりも高位に位置する左右方向の回動支点軸１３を中心にして背凭れ１４を前後に回動可能に支持する。座７を前後に移動可能に設け、背凭れ１４の上端側が後方へ移動するときに座７が前方へ移動するように構成する。背凭れ１４を、背面の上下中央部が後方に突出する形状にする。これらの要件を組み合わせて椅子１を構成する。【選択図】        図１
2004357741.tif 000002
【特許請求の範囲】
【請求項１】
背凭れが前後に傾動する椅子において、該背凭れが、座面よりも高位に位置する左右方向の回動支点軸を中心にして前後に回動可能に支持されていることを特徴とする椅子。
【請求項２】
座を前後に移動可能に設け、背凭れの上端側が後方へ移動するときに座が前方へ移動するように構成した請求項１に記載の椅子。
【請求項３】
背凭れを、背面の上下中央部が後方に突出する形状とした請求項１又は２に記載の椅子。
【発明の詳細な説明】
【０００１】
【発明の属する技術分野】
本発明は、パチンコ店等の遊技場で遊技用として使用するのに適した椅子に関する。
【０００２】
【従来の技術】
パチンコ店等の遊技場は通路の両側（片側だけの場合にある）に遊技機が並べて設置されており、遊技客は遊技機に対面する状態で椅子に座り遊技を行う。このような遊技場で使用される遊技用椅子は、従来、背凭れが傾動しないシンプルな構造のものが多かったが、近年では、遊技客が長時間遊技していても疲れないように、背凭れが前後に回動するリクライニング式のものも使用されている。現行のリクライニング式椅子は、背凭れの回動支点が座と上下ほぼ同位置か、それよりも下方に設けられている。
【０００３】
【発明が解決しようとする課題】
しかしながら、遊技場の多くは通路幅にあまり余裕がないので、上記現行のリクライニング式椅子の場合、背凭れを後方に倒したときに、背凭れの上部が通路に大きく張り出してしまい、遊技客や遊技場スタッフの移動に支障をきたすおそれがあった。そこで本発明は、座り心地の快適性を損なうことなく、背凭れを倒してもあまり後方に張り出さない椅子を提供することを課題としている。
【０００４】
【課題を解決するための手段】
上記課題に対し、本発明は次の構成を採用した。すなわち、請求項１に記載の椅子は、背凭れが前後に傾動する椅子において、該背凭れが、座面よりも高位に位置する左右方向の回動支点軸を中心にして前後に回動可能に支持されていることを特徴としている。背凭れの回動支点が座の座面よりも高い位置にあるため、背凭れの後方回動時における背凭れ上端の後方移動量が小さく、通路の邪魔になりにくい。
【０００５】
請求項２に記載の椅子は、請求項１の内容に加えて、座を前後に移動可能に設け、背凭れの上端側が後方へ移動するときに座が前方へ移動するように構成した。この構成とすると、背凭れを後方に回動させても、背凭れの下部が座の上に重ならないので、座を広く使用することができる。
【０００６】
請求項３に記載の椅子は、請求項１又は２の内容に加えて、背凭れを、背面の上下中央部が後方に突出する形状とした。背凭れがこの形状であると、背凭れを立てたときは背面の上下中央部が最も後方に位置し、倒したときは上端部が最も後方に位置するので、背凭れを後方に回動させた場合とそうでない場合とで背凭れ最後位の位置があまり変わらない。したがって、背凭れの強度を保ちながら、背凭れを後方に回動させても背凭れが後方にあまり張り出さないようにすることができる。
【０００７】
【発明の実施の形態】
以下、図１乃至図８に表された実施の形態に基づき本発明を具体的に説明する。例示のものはパチンコ店等の遊技場で使用される遊技用椅子であって、この椅子１は、固定脚２をセットボルト２ａにより床面に固定して設置される。
【０００８】
固定脚２の上端部には箱形の座支持ベース３が取り付けられ、これに各々左右一対のベースレール４，４と座板レール５，５とが設けられている。各レールは前後方向に長いレールで、いずれも内側に開口する断面コ字形をしている。そして、ベースレール４，４に座支持ベース３に固着したスライド板３ａ，３ａが係合し、各レール４，４，５，５が座支持ベース３に対し前後に摺動自在になっている。また、座板レール５，５には座板６に固着したスライド板６ａ，６ａが係合し、座板６が座板レール５，５に沿って摺動自在に支持されている。座板６は略々長方形の水平な板材で、これにクッション材及び表面カバーを取り付けて座７を構成している。
【０００９】
レール４，４，５，５の外側面には、後端側が上方に湾曲する円弧状の背凭れ支持アーム１０，１０が一体に取り付けられている。そして、この背凭れ支持アーム１０，１０の後端部に、背板１１の前面側に固着され該背板よりも下方に突出する背板支持棒１２，１２が、左右方向の回動支点軸１３，１３により連結されている。この回動支点軸１３，１３は座７の上面（座面）よりも高位に位置している。背板１１は左右両側部が若干前方に屈曲した形状の板材で、前面側にクッション材及び表面カバーを取り付けるとともに、背面側に背面カバー１５を取り付けて背凭れ１４を構成している。背面カバー１５は、上下中央部及び左右中央部が山型に後方へ突出した形状をしている（図７、８参照）。
【００１０】
背板支持棒１２，１２の下端部には横棒取付板１６，１６が固着され、これに横棒１７が取り付けられている。この横棒１７の左右両端部は、座板６と一体に移動するスライド板１８の左右側板部に形成された上下に長い長穴１９，１９に摺動自在に嵌合している。これにより、背凭れ１４が後方へ回動すると座７が前方へ移動するように両者が連動する。このとき、背凭れ１４の回動に応じて横棒１７が長穴１９，１９内を上下に移動する。また、スライド板１８に固定の外筒体２０及びレール４，４，５，５に固定の内筒体２１の内部に、背凭れ１４が後方に回動するときに押し戻す側に反発作用するスプリング２２が収容されている。
【００１１】
図１は通常状態の椅子１を表している。このとき、背凭れ背面カバー１５の上下中央部が最後位に位置している。この状態の椅子１に腰を掛け上体を後方へ反らすと、図２に示すように、背凭れ１４が回動支点軸１３，１３を支点にして後方へ回動するとともに、それに連動して座７が前方へ移動する。回動支点軸１３，１３が座面よりも高い位置にあるため、背凭れが座と上下ほぼ同位置を支点にして回動する従来のリクライニング式椅子と比較して、背凭れ１４上端の後方への移動量Ｌが小さい。また、図１の通常状態と比較して、最後部の前後位置の差Ｄはさらに小さい。つまり、この椅子１は、リクライニング状態にしても後方空間、例えば遊技場であれば通路へ余分に張り出すことがほとんど無く、遊技客や遊技場スタッフの移動の邪魔にならないのである。背凭れ１４が後方に回動するのに連動して座７が前方へ移動するので、リクライニング状態しても座７を広く使用することができ、快適な座り心地が維持される。背凭れ１４に凭れかけた上体を起こすと、スプリング２２の反発力により図１の状態に復帰する。また、図３に示すように、背凭れ１４ごと座７を前後に移動させられるので、体格等に合わせて遊技機から座７までの距離を調節可能である。
【００１２】
次に、背凭れ１４の背面カバー１５について更に詳しく説明する。背面カバー１５は蛍光剤入りの透明合成樹脂（ＰＣ、ＡＢＳ、ＰＳ、ＡＳ、ＰＰ、アクリル等）で一体成形したものであり、図７及び図８に示す形状をしている。すなわち、背面視では背板１１、背板支持棒１２，１２、横棒取付板１６，１６、横棒１７及びスライド板１８を完全に覆う菱形の形状し、側面視では上下中央部が、平面視では左右中央部がそれぞれ後方へ突出した山型の形状をしている。裏面側の内周部及び稜線部には、補強用のリブ１５ａ，１５ｂが形成されている。さらに、頂点周辺の稜線部リブ１５ｂ間に、凹凸による模様１５ｃが刻設されている。なお、１５ｄは、背面カバー１５を背板１１に取り付けるための雌ネジ付きボスである。
【００１３】
背凭れ１４に取り付けた背面カバー１５は、裏面側の模様１５ｃが透明合成樹脂越しに透け見える。この模様１５ｃは凹凸によるものであるから、見る角度によって明暗や色調が違って見え、通常の平面的な表現手段にはない効果的な表現ができる。また、遊技場内の照明を暗くした場合、透明合成樹脂に混入されている蛍光剤が光って全体が浮かび上がって見え、幻想的な雰囲気を演出することができる。背面カバー１５は左右中央部が山型に後方へ突出した形状であるから、斜め後方からでも背面カバー１５が広い面積で見え宣伝効果が高い。模様１５ｃの代わり、或は模様１５ｃと組み合わせて店名、ロゴ等を入れてもよい。
【００１４】
【発明の効果】
本発明による椅子は、背凭れの回動支点が座の座面よりも高い位置にあるため、背凭れの後方回動時における背凭れ上端の後方移動量が小さく、リクライニング状態にしても後方の通路等の邪魔にならない。また、背凭れを後方へ回動させると、それに連動して座が前方へ移動するので、常に座を広く使用することができ座り心地の快適性を維持できる。さらに、背凭れが背面の上下中央部が後方に突出した形状にすることにより、背凭れの強度を保ちながら、背凭れを後方に回動させても背凭れが後方にあまり張り出さないようにすることができた。
【図面の簡単な説明】
【図１】椅子の全体側面図である。
【図２】図１と異なる状態を示す椅子の全体側面図である。
【図３】図１及び図２と異なる状態を示す椅子の全体側面図である。
【図４】一部を省略して表した椅子の正面図である。
【図５】一部を省略して表した椅子の平面図である。
【図６】一部を省略して表した椅子の底面図である。
【図７】背面カバーの表面側から見た斜視図である。
【図８】背面カバーの裏面側から見た斜視図である。
【符号の説明】
１  椅子
２  固定脚
３  座支持ベース
４  ベースレール
５  座板レール
６  座板
７  座
１０  背凭れ支持アーム
１１  背板
１３  回動支点軸
１４  背凭れ
【図１】
2004357741.tif 000003
【図２】
2004357741.tif 000004
【図３】
2004357741.tif 000005
【図４】
2004357741.tif 000006
【図５】
2004357741.tif 000007
【図６】
2004357741.tif 000008
【図７】
2004357741.tif 000009
【図８】
2004357741.tif 000010